(57)【要約】  本発明は、外付け端末保護デバイス及び対応する保護システムを提供し、前記外付け端末保護デバイスは、保護対象ホストコンピュータの対応するインターフェースに接続される内部インターフェースと、１つ又は複数の外部デバイスにアクセスするための外部インターフェースとを提供するためのインターフェース制御モジュールと、インターフェース制御モジュールに接続され、前記インターフェース制御モジュールにおける１つ又は複数の外部インターフェースにアクセスされる外部デバイスのセキュリティ認証を制御し、前記外部デバイスがアクセス許可デバイスであるか否かを確認するためのシステム制御モジュールとを備える。本発明は、保護対象ホストコンピュータにセキュリティ保護ソフトウェアをインストールすることなく、保護対象ホストコンピュータに対してセキュリティ保護を行うという目的を実現でき、システムのセキュリティリスクを大幅に低減させ、各インターフェースにより生じる可能性のあるセキュリティリスクを全面的に解決する。【選択図】  図1
2021522616.tif 000002
【特許請求の範囲】
【請求項１】
保護対象ホストコンピュータの対応するインターフェースに接続される１つ又は複数の内部インターフェースと、１つ又は複数の外部デバイスにアクセスするための１つ又は複数の外部インターフェースとを提供するためのインターフェース制御モジュールと、
インターフェース制御モジュールに電気的に接続され、前記インターフェース制御モジュールにおける１つ又は複数の外部インターフェースにアクセスされる外部デバイスのセキュリティ認証を制御するためのシステム制御モジュールとを備える、外付け端末保護デバイス。
【請求項２】
前記インターフェース制御モジュールの外部インターフェースに外部デバイスがアクセスされると、該インターフェース制御モジュールは、前記システム制御モジュールに通知し、前記システム制御モジュールは前記外部デバイスに対してセキュア認証動作を行う、請求項１に記載の外付け端末保護デバイス。
【請求項３】
前記外部デバイスがセキュリティ認証を通過していない場合、前記外部デバイスを非アクセス許可デバイスとし、前記外部デバイスと前記保護対象ホストコンピュータとの間の回線を物理的に切断した状態を維持し、及び／又は
前記外部デバイスがセキュリティ認証を通過している場合、前記外部デバイスがアクセス許可デバイスであると確認し、前記外部デバイスと前記保護対象ホストコンピュータとの間の回線を物理的に接続する、請求項２に記載の外付け端末保護デバイス。
【請求項４】
前記インターフェース制御モジュールは、前記外部デバイスにアクセスされる外部インターフェースの接続状態をリアルタイムで監視し、アクセス許可デバイスであると確認された外部デバイスが外部インターフェースから引き抜かれた場合、前記接続されている回線の物理的接続を自動的に切断する、請求項３に記載の外付け端末保護デバイス。
【請求項５】
前記外部デバイスが外部インターフェースから引き抜かれた後に再度アクセスされた場合、前記システム制御モジュールによって前記外部デバイスに対してセキュリティ認証動作が再実行される、請求項４に記載の外付け端末保護デバイス。
【請求項６】
前記インターフェース制御モジュールは前記保護対象ホストコンピュータの対応するインターフェースと接続した内部インターフェースの接続状態をリアルタイムで監視し、
前記接続状態に異常が発生した場合、前記インターフェース制御モジュールと保護対象ホストコンピュータとの間の回線接続の切断を自動的にトリガーする、請求項１に記載の外付け端末保護デバイス。
【請求項７】
前記接続状態に異常が発生した場合、前記インターフェース制御モジュールと保護対象ホストコンピュータとの間の回線接続の切断を自動的にトリガーする前記ステップは、
監視回路を介して前記内部インターフェースの電流／電圧変化を検知することにより、前記接続状態に異常が発生したと決定し、警報指示信号をトリガーするステップをさらに含む、請求項６に記載の外付け端末保護デバイス。
【請求項８】
前記インターフェース制御モジュールと保護対象ホストコンピュータとの間の回線接続の切断を自動的にトリガーした後、前記接続状態は異常から正常に回復し、前記インターフェース制御モジュールと保護対象ホストコンピュータとの間の回線接続の切断状態を維持している、請求項６に記載の外付け端末保護デバイス。
【請求項９】
前記システム制御モジュールは、設定されたセキュリティポリシーに基づいて、前記インターフェース制御モジュールにおける１つ又は複数の外部インターフェースにアクセスされる外部デバイスのセキュリティ認証を制御する、請求項１に記載の外付け端末保護デバイス。
【請求項１０】
インターフェース間に交換されるデータを記憶するための内部メモリをさらに備える、請求項１に記載の外付け端末保護デバイス。
【請求項１１】
前記インターフェース制御モジュールは、前記外部インターフェースにアクセスされる強放電デバイスによる前記外付け端末保護デバイスへの破壊を防止するための電流・電圧制限回路を備える、請求項１に記載の外付け端末保護デバイス。
【請求項１２】
前記内部インターフェース及び外部インターフェースのうちの１つ又は複数がＵＳＢインターフェースである、請求項１に記載の外付け端末保護デバイス。
【請求項１３】
１つ又は複数の外部デバイスと、
保護対象ホストコンピュータと、
請求項１〜１２のいずれか１項に記載の外付け端末保護デバイスとを備え、
前記外付け端末保護デバイスは、前記１つ又は複数の外部デバイスが前記外付け端末保護デバイスを介して前記保護対象ホストコンピュータとインターフェースを通じて通信するように、保護対象ホストコンピュータに外付けされている、保護システム。
【発明の詳細な説明】
【技術分野】
【０００１】
本発明は、コンピュータセキュリティの技術分野に属し、特に外付け端末保護デバイス及び保護システムに関する。
【背景技術】
【０００２】
近年、コンピュータや情報技術は急速な発展を遂げており、インターネットの普及を大きく促進し、コンピュータや情報技術の利便性を享受しているとともに、生産／生活で使用されるコンピュータデータのセキュリティに新たな脅威をもたらしており、たとえば、不正アクセス、正当なユーザへの偽装、データの完全性の破壊、システムの正常な動作への妨害、ネットワークを利用したウイルスの拡散や仲介者による盗聴などがある。
【０００３】
ファイアウォール、ウイルス防止、侵入検知システムなどのネットワークセキュリティ製品をホストコンピュータにインストールして使用するなど、イントラネットのセキュリティ上の問題を解決するための技術的な手段は数多くあるが、上記対策を行っていても、様々なネットワークセキュリティイベントが頻発している。統計したところ、コンピュータ犯罪の７０％は、ホストコンピュータなどの重要なリソースをインサイダーで不正に使用したことが原因とされており、外部からの脅威は３０％しかなく、インサイダーはホストコンピュータを使用する時のセキュリティ意識が欠けていて、またファイアウォールのバックエンドに位置するので、各種の外部デバイスのアクセスが標準化されていないことやシステムの誤操作又は故意の破壊は、すべて機関、事業者などに悪影響を及ぼし、さらに重大な損失をもたらしてしまう。
【０００４】
また、特定の特殊なデバイスについては、たとえば、特別なソフトウェアで制御されるホストコンピュータ、特定の産業分野のエンジニアステーション／スタッフステーションを備えたデバイスの場合、これらのホストコンピュータ及びデバイスは、システムが特有のものであるものの、このようなシステムに適用できるセキュリティソフトウェアが市販されていないか、又はセキュリティソフトウェアをインストールすることで、ホストコンピュータの元のソフトウェアとの互換性に関する問題が発生したり、パフォーマンスに影響を与えたりする可能性がある。また、これらのエンジニアステーション／スタッフステーションのホストコンピュータがオンラインになっていても、オペレーティング・システムのアップグレードはほとんど行われず、セキュリティソフトウェアがインストールされていても、マルコード対策ソフトウェアのバージョンとマルコードベースは適時に更新されないため、完全なセキュリティ保護を実現できないことがよくある。
【発明の概要】
【発明が解決しようとする課題】
【０００５】
これに基づいて、本発明は、上記課題を解決する外付け端末保護デバイス及び保護システムを提供し、保護対象ホストコンピュータの各インターフェースを管理し、保護対象ホストコンピュータを用いたＵＳＢインターフェース又はシリアルポートデバイスが必ず外付け端末保護デバイスを介して行われることを確保し、それにより、保護対象ホストコンピュータにセキュリティ保護ソフトウェアをインスールすることなく、保護対象ホストコンピュータのＵＳＢインターフェース又はシリアルポートを保護するという目的を実現できる。
【課題を解決するための手段】
【０００６】
第１態様では、本願は、
保護対象ホストコンピュータの対応するインターフェースに接続される１つ又は複数の内部インターフェースと、１つ又は複数の外部デバイスにアクセスするための１つ又は複数の外部インターフェースとを提供するためのインターフェース制御モジュールと、
バスを介してインターフェース制御モジュールに接続され、前記インターフェース制御モジュールにおける１つ又は複数の外部インターフェースにアクセスされる外部デバイスのセキュリティ認証を制御し、前記外部デバイスがアクセス許可デバイスであるか否かを確認するためのシステム制御モジュールとを備える、外付け端末保護デバイスを提供する。
【０００７】
好ましくは、前記インターフェース制御モジュールの外部インターフェースに外部デバイスがアクセスされると、前記バスを介して前記システム制御モジュールに通知し、前記システム制御モジュールがまず前記外部デバイスに対してセキュア認証動作を行う。
【０００８】
好ましくは、前記外部デバイスがセキュリティ認証を通過していない場合、前記外部デバイスを非アクセス許可デバイスとし、前記外部デバイスと前記保護対象ホストコンピュータとの間の回線を物理的に切断した状態を維持し、及び／又は
前記外部デバイスがセキュリティ認証を通過している場合、前記外部デバイスがアクセス許可デバイスであると確認し、前記外部デバイスと前記保護対象ホストコンピュータとの間の回線を物理的に接続する。
【０００９】
好ましくは、前記インターフェース制御モジュールは、前記外部デバイスにアクセスされる外部インターフェースの接続状態をリアルタイムで監視し、アクセス許可デバイスであると確認された外部デバイスが外部インターフェースから引き抜かれた場合、前記接続されている回線の物理的接続を自動的に切断する。
【００１０】
好ましくは、前記外部デバイスが外部インターフェースから引き抜かれた後に再度アクセスされた場合、前記システム制御モジュールによって前記外部デバイスに対してセキュア認証動作が再実行される。
【００１１】
好ましくは、前記インターフェース制御モジュールは、前記保護対象ホストコンピュータの対応するインターフェースと接続した内部インターフェースの接続状態をリアルタイムで監視し、
前記接続状態に異常が発生した場合、前記インターフェース制御モジュールと保護対象ホストコンピュータとの間の回線接続の切断を自動的にトリガーする。
【００１２】
好ましくは、前記接続状態に異常が発生した場合、前記インターフェース制御モジュールと保護対象ホストコンピュータとの間の回線接続の切断を自動的にトリガーする前記ステップは、
監視回路を介して前記内部インターフェースの電流／電圧変化を検知することにより、前記接続状態に異常が発生したと決定し、警報指示信号をトリガーするステップをさらに含む。
【００１３】
好ましくは、前記インターフェース制御モジュールと保護対象ホストコンピュータとの間の回線接続の切断を自動的にトリガーした後、前記接続状態は異常から正常に回復し、前記インターフェース制御モジュールと保護対象ホストコンピュータとの間の回線接続の切断状態を維持している。
【００１４】
好ましくは、前記システム制御モジュールは、設定されたセキュリティポリシーに基づいて、前記インターフェース制御モジュールにおける１つ又は複数の外部インターフェースにアクセスされる外部デバイスのセキュリティ認証を制御する。
【００１５】
好ましくは、前記外付け端末保護デバイスは、
インターフェース間に交換されるデータを記憶するための内部メモリをさらに備える。
【００１６】
好ましくは、前記インターフェース制御モジュールは、電流・電圧制限回路を用いて、前記外部インターフェースにアクセスされる強放電デバイスによる前記外付け端末保護デバイスへの破壊を防止する。
【００１７】
好ましくは、前記内部インターフェース及び外部インターフェースのうちの１つ又は複数がＵＳＢインターフェースである。
【００１８】
好ましくは、前記内部インターフェース及び外部インターフェースのうちの１つ又は複数がシリアルポートである。
【００１９】
第２態様では、本願は、
１つ又は複数の外部デバイスと、
保護対象ホストコンピュータと、
以上に記載の外付け端末保護デバイスとを備え、
前記外付け端末保護デバイスは、前記１つ又は複数の外部デバイスが前記外付け端末保護デバイスを介して前記保護対象ホストコンピュータとインターフェースを通じて通信するように、前記保護対象ホストコンピュータに外付けされている、保護システムを提供する。
【発明の効果】
【００２０】
本発明の上記技術案にて、少なくとも、以下の１つ又は複数の技術的効果を有する。保護対象ホストコンピュータの各データインターフェースを管理し、保護対象ホストコンピュータの各インターフェースを用いたデータ通信が外付け端末を介して行われることを確保し、それにより、保護対象ホストコンピュータにセキュリティ保護ソフトウェアをインスールすることなく、保護対象ホストコンピュータに対してセキュリティ保護を行うという目的を実現し、システムセキュリティリスクを大幅に低減させ、各インターフェースにより生じる可能性のあるセキュリティリスクを全面的に解決する。
【図面の簡単な説明】
【００２１】
【図１】本発明の第１実施例に係る外付け端末保護デバイスの保護システムの適用シナリオの模式図である。
【図２】本発明の第１実施例に係る外付け端末保護デバイスの内部構造の模式図である。
【図３】本発明の第２実施例に係る外付け端末保護デバイスの接続模式図である。
【図４】本発明の第３実施例に係る外付け端末保護デバイスの保護システムのネットワーク配置模式図である。
【発明を実施するための形態】
【００２２】
以下、図面を参照して本開示の例示的な実施例について詳細に説明する。図面に本発明の例示的な実施例が示されるが、なお、本発明は、様々な形態で実現でき、ここに記載の実施例に制限されないことを理解すべきである。逆に、これらの実施例は、本発明をより明瞭に理解するためのものであり、本発明の範囲を当業者に完全に伝えることができる。
【００２３】
本明細書では、用語「及び／又は」は、関連する対象の相関関係を説明するためのものであり、３つの関係が存在し得ることを示す。たとえば、「Ａ及び／又はＢ」は、Ａが単独で存在する、ＡとＢが両方存在する、Ｂが単独で存在することの３つの場合を意味する。また、本明細書において文字「／」とは、一般に、前後の関連する対象が「又は」の関係であることを意味する。
【００２４】
本発明で提案される外付け端末保護デバイスは、インターフェース制御モジュールとシステム制御モジュールとを備える。インターフェース制御モジュールは、保護対象ホストコンピュータの対応するインターフェースに接続される内部インターフェースと、１つ又は複数の外部デバイスにアクセスするための外部インターフェースとを提供する。システム制御モジュールは、インターフェース制御モジュールに電気的に接続され、前記インターフェース制御モジュールにおける１つ又は複数の外部インターフェースにアクセスされる外部デバイスのセキュリティ認証を制御するために用いられる。それで分かるように、本発明は、ハードウェア形態の端末保護デバイスを提供し、保護対象ホストコンピュータにセキュリティ保護ソフトウェアをインストールすることなく、保護対象ホストコンピュータに対してセキュリティ保護を行うという目的を実現し、システムセキュリティリスクを大幅に低減させ、各インターフェースにより生じる可能性のあるセキュリティリスクを全面的に解決する。
【００２５】
なお、本発明のいわゆる「モジュール」は、ハードウェアモジュールであり、すなわち、回線、データ処理装置、メモリ、キャッシュメモリなどの有形電子素子から構成されるハードウェアモジュールである。本発明のインターフェース制御モジュール及びシステム制御モジュールは、物理的又は機能的に独立する素子組合せであってもよく、物理的又は機能的に集積される一体素子組合せであってもよい。たとえば、一実施形態としては、インターフェース制御モジュールがインターフェース制御パネルから構成され、システム制御モジュールがシステム制御パネルから構成され、インターフェース制御パネル及びシステム制御パネルにはいずれも電子素子の回線基板が集積され、両者がバスを介して接続される。他の実施形態では、インターフェース制御モジュール及びシステム制御モジュールは、回線基板に集積されてもよい。従って、本発明のキーポイントは、インターフェース制御モジュールとシステム制御モジュールとの制御関係であるが、それぞれのモジュールを構成する電子素子の空間的又は物理接続的な組合せ形態に限られない。
【００２６】
本発明によれば、インターフェース制御モジュールの外部インターフェースに外部デバイスがアクセスされると、インターフェース制御モジュールは、前記システム制御モジュールに通知し、前記システム制御モジュールは外部デバイスに対してセキュア認証動作を行う。前記外部デバイスがセキュリティ認証を通過していない場合、前記外部デバイスを非アクセス許可デバイスとし、前記外部デバイスと前記保護対象ホストコンピュータとの間の回線を物理的に切断した状態を維持し、及び／又は、前記外部デバイスがセキュリティ認証を通過している場合、前記外部デバイスがアクセス許可デバイスであると確認し、前記外部デバイスと前記保護対象ホストコンピュータとの間の回線を物理的に接続する。これにより、本発明は、外部デバイスに対して、物理的に隔離されたセキュリティ認証を実現し、保護システムの安全性能を向上させることができる。
【００２７】
一特定実施形態として、前記インターフェース制御モジュールは、前記外部デバイスにアクセスされる外部インターフェースの接続状態をリアルタイムで監視し、アクセス許可デバイスであると確認された外部デバイスが外部インターフェースから引き抜かれた場合、前記接続されている回線の物理的接続を自動的に切断する。これにより、アクセス許可デバイスの接続を通じて非アクセス許可デバイスにアクセスすることを防止できる。
【００２８】
好ましくは、前記外部デバイスが外部インターフェースから引き抜かれた後に再度アクセスされた場合、前記システム制御モジュールによって前記外部デバイスに対してセキュリティ認証動作が再実行される。これにより、同一の外付けデバイスを利用した攻撃行為を防止できる。
【００２９】
実施例
図１は、本発明の第１の実施例に係る保護システムの適用シナリオを示している。
【００３０】
図１に示すように、外付け端末保護デバイスは、各インターフェースの接続ケーブルを介して保護対象ホストコンピュータに外付けされ、保護を必要とする保護対象ホストコンピュータの各インターフェース（ＵＳＢポートのＵＣ１、ＵＣ２、ＣＯＭポートのＣＣ０、ネットワークポートＥＣ０）をさまざまなタイプの接続ケーブルを介してそれぞれの内部インターフェースに接続し、たとえば、保護対象ホストコンピュータのインターフェースＵＣ１とＵＣ２をそれぞれ外付け端末保護デバイスの内部ＵＳＢポートＵＡ４とＵＡ３に接続したり、シリアルポートＣＣ０を内部シリアルポートＣＡ２に接続したり、ネットワークポートＥＣ０を内部ネットワークポートＥＡ２に接続したりする。さまざまな外部デバイス（ＵＳＢメモリ、光学ドライブ、シリアルポート接続デバイスなど）は、すべて前記外付け端末保護デバイスに接続されているので、保護対象ホストコンピュータとのデータ交換通信を行うには、外付け端末保護デバイスを介する必要があり、たとえば、ＵＳＢメモリは前記外付け端末保護デバイスの外部インターフェースＵＡ１を介してアクセスし、ＵＳＢ光学ドライブは外部インターフェースＵＡ２を介してアクセスし、シリアルポート接続デバイスは外部インターフェースＣＡ１を介してアクセスする。ＵＳＢメモリ、ＵＳＢ光学ドライブ、シリアルポート接続デバイスという外部デバイスは、保護対象ホストコンピュータとのデータ通信を必要とし、いずれも保護対象ホストコンピュータに直接接続することはできず、前記外付け端子保護デバイスに対応する外部インターフェースを介して転送して通信しなければならない。
【００３１】
図２は、本発明の上記実施例に係る外付け端末保護デバイスの内部構造の模式図である。
【００３２】
本実施例では、前記外付け端末保護デバイスは、主にインターフェース制御パネルＡとシステム制御パネルＢから構成され、システム制御パネルＢは、制御接続ケーブル（たとえばバス）を介してインターフェース制御パネルＡに接続され、インターフェース制御パネルＡ上の各インターフェース、たとえばＵＳＢインターフェース、シリアルポート及びネットワークポートのさまざまな動作モードを制御し、様々な外部デバイスのアクセスに対してセキュリティ制御を行うという機能を実現する。システム制御パネルＡは、使用可能、使用不可、プロトコルフィルタリング、トラフィックミラーリングやトラフィック監査などの各インターフェースの動作モードを制御することができるが、本発明は、特定の動作モードの制御タイプに限定されない。システム制御パネルＢは、Ｉ２Ｃ又はＳＰＩインターフェースを介してインターフェース制御パネルＡと接続可能であるが、本発明は、特定の制御接続インターフェースに限定されない。
【００３３】
前記外付け端末保護デバイスは、インターフェース間で交換されるデータを記憶するための端末保護デバイスの内部メモリであるハードウェアメモリＤをさらに含んでもよく、さらに、内部メモリは、設定されたセキュリティポリシーをさらに記憶してもよく、システム制御パネルＢは、内部メモリに記憶された予め設定されたセキュリティポリシーを読み出すことにより、インターフェース制御パネル上のタイプ又は番号の異なるインターフェースに対してセキュリティ認証を行う。
【００３４】
本実施例では、外付け端末保護デバイスによって実現されるセキュリティ機能は、管理者が外付け端末保護デバイスに対して事前に権限設定及びセキュリティポリシー設定を行うことを含むが、これに限定されるものではなく、セキュリティポリシーには、データのインポートを有効にすること（たとえばＵＳＢインターフェース）、データのエクスポートを有効にすること（たとえばＵＳＢインターフェース）、ＵＳＢアクセスデバイスの制限（たとえば、ＵＳＢデバイスに基づくＶｅｎｄｏｒ  ＩＤ、すなわち、ベンダー識別コード、及び／又はＰｒｏｄｕｃｔ  ＩＤ、すなわち製品識別コード）、データインポートアンチウイルスポリシー、データエクスポートのブラック／ホワイトリストの制御ポリシー、データエクスポートフォーマットの制御ポリシー、シリアルポートアクセスを有効にするポリシー、ＵＳＢインターフェース挿入保護、ネットワーク通信監査を有効にすること、ファイアウォール機能を有効にすること、シリアルコマンドのブラック／ホワイトリストの設定などが含まれる。
【００３５】
一好適な実施形態では、セキュリティポリシーは、管理者が個々のセキュリティポリシーを設定した後、関連するセキュリティポリシーが前記外付け端末保護デバイスによって１つずつ実行されることを含む。一好適な実施形態では、セキュリティポリシーには、前記外付け端末保護デバイスが、保護対象ホストコンピュータとの接続を監視する監視保護モードに入るか否かを管理者が制御し、異常な場合は、警報を発することをさらに含む。
【００３６】
一好適な実施形態では、セキュリティポリシーは、その後の管理者による問い合わせのために異常警報又はインターフェースアクセス状況を記録する必要がある場合、内部メモリＤが前記警報情報又はインターフェースアクセスログ情報を記録することにも使用されることを含む。
【００３７】
一好適な実施形態では、前記外付け端末保護デバイスが備えるインターフェース保護は、デバイスの電気的セキュリティ保護と、使用中の異常状況に対する保護とをさらに含むことができ、前記使用中の異常状況は、外付け端末保護デバイスを強制的にスキップしようとすること、正当なＵＳＢデバイスを使用してセキュリティ検証を通過した後に不正なＵＳＢデバイスをアクセスしようとすることを含むが、これらに限定されない。
【００３８】
一好適な実施形態では、前記外付け端末保護デバイスが備えるデバイスの電気的セキュリティ保護は、ＵＳＢなどの外部インターフェースを介して保護対象ホストコンピュータの物理的ハードウェアを破壊することを効果的に防止でき、ＵＳＢキラーのように強力な放電によって保護対象ホストコンピュータを破壊するような行為を防止できることを意味する。
【００３９】
この目的を実現するために、本発明の一好適な実施形態では、電気的安全性については、以下の２つのレベルで設計している。
【００４０】
１）インターフェースに電流・電圧制限設計が採用されている。
この態様では、前記端末保護デバイスが備えるデバイスの電気的安全性保護とは、デバイス機能がハードウエア設計を採用することによって強放電によるデバイスの破壊を防止し、電流・電圧制限回路を導入することによって、電流・電圧が過大になることを防止し、第１の保護システムを構築する。
【００４１】
２）物理的スイッチの切り替えに基づく外部デバイスの接続機構
前記外付け端末保護デバイスは、ハードウェア切り替えロジックを導入することにより、電気的セキュリティ保護機能をさらに向上させる。ＵＳＢ外部デバイスを例にすれば、端末保護デバイスにＵＳＢメモリデバイスや他のＵＳＢデバイスが挿入されて作動する場合、まず、必要なセキュリティ認証を行わなければならず、許可されたデバイスのみに対して次の作動が許可され、セキュリティ認証を取得しないと、挿入されたＵＳＢデバイスは保護対象ホストコンピュータと通信できない。つまり、挿入された外部デバイスがセキュリティ認証を通過しない限り、保護対象ホストコンピュータとの間に導通回線が存在しないので、第１レベルの保護となる電流・電圧制限設計が期待される機能を発揮していなくても、挿入されたＵＳＢデバイスによって引き起こされる電流電圧衝撃が保護対象ホストコンピュータのセキュリティに影響を及ぼすことはない。
【００４２】
選択可能な一実施形態として、外付け端末保護デバイスは、使用中のインターフェースの異常について保護する機能を備え、悪意のあるユーザが外付け端末保護デバイスと保護対象ホストコンピュータの間の接続ケーブルを抜いて、外付け端末保護デバイスをスキップして保護対象ホストコンピュータに直接アクセスしようとする場合や、正当なＵＳＢデバイスを使用してセキュリティ検証を通過した後、正当なデバイスを抜いて不正なＵＳＢデバイスに交換する場合を対象としている。
【００４３】
本発明の一好適な実施形態では、使用中の異常状況についての保護に対応する設計を行っている。
【００４４】
１）ＵＳＢ接続のロックなどのインターフェース接続のロック
従来のインターフェースロックは、一般には、機械的な手段、すなわち、秘密関連産業で使用されている特殊なワイドポートのＵＳＢメモリや特殊なネットワークポートなどの特殊なインターフェースを介して、誤用又は他人によるインターフェースの挿入・引き抜きを防止する。この方式の欠点は、汎用性が低く、機械的な接続の要件を満たすためにデバイスのインターフェースを改造する必要があることであり、この方式は、一般的には、特殊な業界で強制的に管理されているデバイスにしか適用されず、実施性が悪く、デバイスのメンテナンスに関する紛争を引き起こしやすい。
【００４５】
本発明の一好適な実施形態は、前記外付け端末保護デバイスが備えるインターフェースロック機能を提供し、この機能は、アナログ信号サンプリング及びアナログデジタル変換信号収集の技術によって実現され、外付け端末保護デバイスＡの特定インターフェースが保護対象ホストコンピュータＢの特定インターフェースと接続すると、前記外付け端末保護デバイスのインターフェース制御パネルは前記保護対象ホストコンピュータＢと接続した特定の内部インターフェースの接続状態をリアルタイムで監視し、前記接続状態に異常が発生した場合、前記インターフェース制御パネルと保護対象ホストコンピュータとの間の回線接続の切断を自動的にトリガーする。さらに、監視回路を介して前記内部インターフェースの電流／電圧の変化を検知することにより、前記接続状態に異常が発生したと決定し、警報指示信号をトリガーする。またさらに、前記インターフェース制御パネルと保護対象ホストコンピュータとの間の回線接続の切断を自動的にトリガーした後、前記接続状態は異常から正常に回復し、前記インターフェース制御パネルと保護対象ホストコンピュータとの間の回線接続の切断状態を維持している。両者のＵＳＢポート接続を例にとると、外付け端末保護デバイスＡは、保護対象ホストコンピュータＢと接続されたインターフェースの電流・電圧の状況をリアルタイムで監視し、デバイスＡとホストコンピュータＢとの接続ケーブルの状況を取得する。悪意のあるユーザがデバイスＡとホストコンピュータＢの接続ケーブルを引き抜くと、監視回路は電流・電圧の変化を適時に検知し、音光警報をトリガーし、接続切断作動をトリガーし、ユーザが接続ケーブルを差し戻しても、ＡとＢの間の接続は自動的に回復することができず、管理者権限のあるユーザが手動で設定して回復させなければならない。
【００４６】
２）外部デバイスの挿入・引き抜き監視
本発明の技術案に係る前記外付け端末保護デバイスが備える外部デバイスの挿入・引き抜き監視機能とは、前記インターフェース制御パネルが、前記外部デバイスにアクセスされる外部インターフェースの接続状態をリアルタイムで監視し、アクセス許可デバイスであると確認された外部デバイスが外部インターフェースから引き抜かれた場合、前記接続されている回線の物理的接続を自動的に切断し、さらに、前記外部デバイスが外部インターフェースから引き抜かれた後に再度アクセスされた場合、前記システム制御パネル２によって前記外部デバイスに対してセキュリティ認証動作が再実行されることを意味する。一実施例として、外付け端末保護デバイスＡは、ユーザがデータのインポート／エクスポート操作を許可されているときに、監視インターフェースを介して、挿入された外部デバイス（たとえばＵＳＢデバイス）を効果的に監視し、それにより、ユーザが正当なデバイスを使用してセキュリティチェックを通過した後、正当なデバイスを抜いて不正なデバイスを挿入する行為を防止する。ユーザがデバイスを抜くと、システムは自動的に非許可接続切断状態に戻り、このようにして、デバイス接続の安全性を最大限に確保する。
【００４７】
本態様では、前記端末保護デバイスが備える挿入・引き抜き監視及び異常接続切断機能はソフトウェアにより実現されるのではなく、特定のハードウェアによって接続切り替えを制御することにより実現され、ハードウェアの設計模式図は図３に示す。
【００４８】
図３は、本発明の別の実施例を示しており、この実施例の外付け端末保護デバイスはインターフェース制御機能を備えており、ＦＰＧＡ／マイクロコントローラ制御に基づいてハードウェア隔離スイッチのオンオフにより実現されるハードウェアオンオフ方式を採用しており、それによって、外部デバイスのアクセスの切り替えを制御する。
【００４９】
ＵＳＢ制御機能を例にとると、本実施例の外付け端末保護デバイスは、ＡＤ収集モジュール及びスイッチングチップを含むインターフェース制御パネル、ＡＲＭ／ｘ８６に基づくシステム制御パネル、及び内部ＵＳＢメモリデバイスという構成部分を含む。
【００５０】
インターフェース制御パネルの各インターフェースの接続については、図３に示すように、ＵＡ１とＵＢ１、ＵＡ２とＵＢ２、ＵＡ３とＵＢ３、ＵＡ２とＵＡ４、ＵＢ１とＵＢ３はスイッチを通じて切り替える。ＡＤ収集モジュールは各インターフェースの状態を検出し、スイッチングチップは、保護対象ホストコンピュータ、外付け端末保護デバイス、及び遠隔制御センタの間のネットワークポートデータの通信を行う。
【００５１】
ハードウェアは２つの制御モードをサポートしており、これらの制御モードは、ＵＳＢデバイスの使用に関する２つの機能、すなわち、ＵＳＢデータのインポート／エクスポート、及びＵＳＢデバイスの直接接続に対応している。
【００５２】
１）ＵＳＢデータインポート／エクスポート制御ロジック
本実施例では、前記外付け端末保護デバイスのデータインポート／エクスポート制御ロジック、ハードウェア接続の状況は、以下のとおりである。内部インターフェースＵＡ３、ＵＡ４が保護対象ホストコンピュータのＵＳＢ接続ケーブルに挿入され、ＵＢ１、ＵＢ２がシステム制御パネルのＵＳＢインターフェースにアクセスし、外部インターフェースＵＡ１がアクセス対象のＵＳＢメモリ又はリムーバブルストレージメディアに挿入され、ＵＡ２がＵＳＢ光学ドライブデバイスに挿入され、ＵＢ３が内部ＵＳＢメモリにアクセスする。このように、外付け端末保護デバイスは保護対象ホストコンピュータのデータインターフェースをすべて管理し、保護対象ホストコンピュータの各インターフェースを用いたデータ通信がすべて外付け端末保護デバイスを介して行われることを確保する。
【００５３】
好ましくは、前記保護システムは、前記外付け端末保護デバイスを遠隔制御する制御センタをさらに含み、遠隔地に位置する制御センタは、ネットワークを介して外付け端末保護デバイスのネットワークポートＥＡ２に接続され、前記外付け端末保護デバイスを遠隔制御することにより、保護対象ホストコンピュータにセキュリティ保護ソフトウェアをインストールすることなく、保護対象ホストコンピュータのセキュリティ保護の目的を実現できる。
【００５４】
２）ＵＳＢデバイスの直接接続制御ロジック
本実施例では、記憶類のもの以外の直接アクセスを必要とするいくつかのＵＳＢデバイス、たとえばＵＳＢ光学ドライブ、ドングルなどを対象としており、デバイスの直接接続制御ロジックは、システム制御パネルによってインターフェース制御パネルのハードウェア制御ロジックを制御することを通じて、ＵＳＢデバイスのデータトラフィックを制御し、ハードウェアの接続の状况は、以下のとおりである。端末保護デバイスのインターフェース制御パネルの内部ＵＳＢインターフェースＵＡ４は保護対象ホストコンピュータのＵＳＢインターフェースＵＣ１に接続され、転送インターフェースＵＢ２はシステム制御パネルのＵＳＢインターフェースにアクセスし、外部ＵＳＢインターフェースＵＡ２は、保護対象ホストコンピュータＢに直接接続すべき外部デバイス（たとえばＵＳＢ光学ドライブ）に挿入され、インターフェース制御パネルは、制御ケーブルを介してシステム制御パネルに接続される。
【００５５】
好ましくは、前記端末保護機器によるＵＳＢデバイスの直接接続制御の方法は、以下の通りである。端末保護デバイスの外部ＵＳＢインターフェースＵＡ２が、保護対象ホストコンピュータＢに直接接続すべき外部デバイス（たとえばＵＳＢ光学ドライブ）に挿入されると、インターフェース制御パネルは、制御ケーブルを介してシステム制御パネルに通知し、システム制御パネルは、インターフェース制御パネルのハードウェア制御ロジックを制御して、インターフェースＵＡ２と転送インターフェースＵＢ２との物理回線を接続し、ＵＡ２インターフェースに挿入されたＵＳＢ光学ドライブがシステム制御パネルのＵＳＢインターフェースとの物理回線を接続するようにし、その間、ハードウェア制御ロジックは、インターフェースＵＡ２と保護対象ホストコンピュータに接続する内部インターフェースＵＡ４との物理回線を切断した状態に維持する。
【００５６】
システム制御パネルは、ＵＡ２インターフェースのＵＳＢ光学ドライブに対してセキュリティ認証を行い、この外部デバイスがアクセス許可デバイスであるか否かを確認し、このＵＳＢ光学ドライブがアクセス許可デバイスであると確認する場合、ハードウェア制御ロジックは、外部インターフェースＵＡ２と内部インターフェースＵＡ４との物理回線を接続し、それにより、ＵＡ２インターフェースに挿入されたＵＳＢ光学ドライブと保護対象ホストコンピュータとの接続を実現する。
【００５７】
前記ハードウェア制御ロジックは、前記システム制御パネルが１つ又は複数のインターフェースの接続状態に変化があることを監視すると、前記インターフェースと他のインターフェースとの物理回線を自動的に切断する。たとえば、ＵＡ２インターフェースに挿入された外部デバイスがＵＡ４インターフェースに接続されている間、システム制御パネルは、インターフェース制御パネルのＵＡ２に挿入された外部デバイスの接続状態をリアルタイムで監視し、外部デバイスがインターフェースから引き抜かれたことを検出すると、自動的に切断する。
【００５８】
図４は、本発明に係る外付け端末保護デバイスの保護システムのネットワーク配置の一実施例である。前記保護システムは、１つ又は複数の外部デバイスと、保護対象ホストコンピュータと、外付け端末保護デバイスとを含み、前記外付け端末保護デバイスは、前記１つ又は複数の外部デバイスが前記外付け端末保護デバイスを介して前記保護対象ホストコンピュータとインターフェースを通じて通信するように、保護対象ホストコンピュータに外付けされている。ここで、前記外付け端末保護デバイスについては以下のとおりであるため、ここで詳しく説明しない。
【００５９】
さらに、前記保護システムは、前記外付け端末保護デバイスを遠隔制御する制御センタをさらに含み、制御センタは、サーバ、管理ワークステーション、及び他のノードから構成され、ネットワーク交換ノードを介して前記外付け端末保護デバイスのネットワークポートＥＡ１に接続される。
【００６０】
ここで提供される明細書において、大量の具体的な詳細が説明される。しかし、本発明の実施例は、これらの具体的な詳細がない場合で実践できると理解できる。本明細書に対する理解を不明瞭にしないために、一部の実施例では、公知の方法、構造及び技術が詳細に示されていない。
【００６１】
同様に、本発明を簡潔にし、かつ発明の各態様の中の１つまたは複数の理解を助けるために、上記の本発明に対する例示的実施例の記述では、本開示の各特徴が、１つの実施例、図、またはそれに対する記述の中に分けて組み込まれている場合もあることを理解すべきである。但し、該開示の方法を、保護を請求している本発明が、各請求項に明記された特徴より多くの特徴を要求しているというような意図を反映するものと解釈してはならない。よって、具体的実施態様に従う特許請求の範囲は、該具体的実施態様に明確に組み込まれ、その中の各請求項自体が、本発明の単独実施例となるのである。
【００６２】
当業者は、実施例のデバイスのモジュールを適応的に変更して、その実施例と異なる１つ又は複数のデバイスに設置することができると理解できる。ある実施例においてモジュール又はユニット又はコンポーネントは、モジュール又はユニット又はコンポーネント及びそれら以外に組み合わせることができ、これらは複数のサブモジュール又はサブユニット又はサブコンポーネントに分けることができる。このような特徴及び／又はプロセス又はユニットの少なくとも一部は相互排他的である以外に、任意の組合せで本明細書（添付の特許請求の範囲、要約と図面を含む）に開示されたすべての特徴、及びそのように開示された任意の方法又はデバイスのすべてのプロセス又はユニットを組み合わせることができる。他に明示的に述べられていない限り、本明細書（添付の特許請求の範囲、要約と図面を含む）に開示された各特徴は、同じ、同等又は類似の目的を提供する代替の特徴によって置換することができる。
【００６３】
当業者は、ここで述べた一部の実施例は、他の実施例に含まれる一部の特徴を含むが、他の特徴ではないにもかかわらず、異なる実施例の特徴の組み合わせは本発明の範囲内にあり、かつ異なる実施例を形成することを意味するものと理解できる。例えば、特許請求の範囲では、保護された実施例のいずれかを任意の組合せで利用することが可能である
【００６４】
本発明の各コンポーネントの実施例はハードウェア、又は１つ又は複数のプロセッサ上で動作するソフトウェアモジュール、又はそれらの組合せで実現することができる。当業者は、マイクロプロセッサ又はデジタル信号処理装置（ＤＳＰ）を使用して、本発明の実施例によるテキスト内容の撮影入力装置、コンピューティングデバイス及びコンピュータ可読記憶媒体のうちの一部又は全部のコンポーネントの一部又は全部の機能を実現できることを理解すべきである。さらに本発明はここで説明する方法を実行するのに用いる一部又は全部のデバイス又は装置プログラム（例えば、コンピュータプログラムとコンピュータプログラム製品）として実現できる。本発明を実現するプログラムはコンピュータ可読媒体に記憶することができ、又は一つ又は複数の信号形式を有することができる。このような信号はインターネットサイトからダウンロードしたり、キャリア信号に提供したり、任意の他の形式で提供したりすることができる。
【図１】
2021522616.tif 000003
【図２】
2021522616.tif 000004
【図３】
2021522616.tif 000005
【図４】
2021522616.tif 000006
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
保護対象ホストコンピュータの対応するインターフェースに接続される１つ又は複数の内部インターフェースと、１つ又は複数の外部デバイスにアクセスするための１つ又は複数の外部インターフェースとを提供するためのインターフェース制御モジュールと、
インターフェース制御モジュールに電気的に接続され、前記インターフェース制御モジュールにおける１つ又は複数の外部インターフェースにアクセスされる外部デバイスのセキュリティ認証を制御し、前記外部デバイスがアクセス許可デバイスであるか否かを確認し、前記外部デバイスがセキュリティ認証を通過していない場合、前記外部デバイスを非アクセス許可デバイスとし、前記外部デバイスと前記保護対象ホストコンピュータとの間の回線を物理的に切断した状態を維持し、前記外部デバイスがセキュリティ認証を通過している場合、前記外部デバイスがアクセス許可デバイスであると確認し、前記外部デバイスと前記保護対象ホストコンピュータとの間の回線を物理的に接続するためのシステム制御モジュールと、
インターフェース間に交換されるデータを記憶し、設定されたセキュリティポリシーを記憶し、記憶された事前に設定されたセキュリティポリシーを読み取ることによって、インターフェース制御モジュールにおける異なるタイプのインターフェース又は異なる番号のインターフェースに対してセキュリティ認証を行うための内部メモリとを備え、
前記インターフェース制御モジュールは、さらに、前記インターフェース制御モジュールの外部インターフェースに外部デバイスがアクセスされると、前記システム制御モジュールに通知し、前記システム制御モジュールが前記外部デバイスに対してセキュア認証動作を行うために用いられ、
前記インターフェース制御モジュールは、さらに、前記保護対象ホストコンピュータの対応するインターフェースと接続した内部インターフェースの接続状態をリアルタイムで監視し、前記接続状態に異常が発生した場合、インターフェース制御パネルと保護対象ホストコンピュータとの間の回線接続の切断を自動的にトリガーするために用いられ、具体的には、監視回路を介して前記内部インターフェースの電流／電圧の変化を検知することにより、前記接続状態に異常が発生したと決定し、警報指示信号をトリガーし、前記インターフェース制御パネルと保護対象ホストコンピュータとの間の回線接続の切断を自動的にトリガーした後、前記接続状態は異常から正常に回復し、前記インターフェース制御パネルと保護対象ホストコンピュータとの間の回線接続の切断状態を維持している、外付け端末保護デバイス。
【請求項２】
前記インターフェース制御モジュールは、前記外部デバイスにアクセスされる外部インターフェースの接続状態をリアルタイムで監視し、アクセス許可デバイスであると確認された外部デバイスが外部インターフェースから引き抜かれた場合、前記接続されている回線の物理的接続を自動的に切断する、請求項１に記載の外付け端末保護デバイス。
【請求項３】
前記外部デバイスが外部インターフェースから引き抜かれた後に再度アクセスされた場合、前記システム制御モジュールによって前記外部デバイスに対してセキュリティ認証動作が再実行される、請求項２に記載の外付け端末保護デバイス。
【請求項４】
前記システム制御モジュールは、設定されたセキュリティポリシーに基づいて、前記インターフェース制御モジュールにおける１つ又は複数の外部インターフェースにアクセスされる外部デバイスのセキュリティ認証を制御する、請求項１に記載の外付け端末保護デバイス。
【請求項５】
前記インターフェース制御モジュールは、前記外部インターフェースにアクセスされる強放電デバイスによる前記外付け端末保護デバイスへの破壊を防止するための電流・電圧制限回路を備える、請求項１に記載の外付け端末保護デバイス。
【請求項６】
前記内部インターフェース及び外部インターフェースのうちの１つ又は複数がＵＳＢインターフェースである、請求項１に記載の外付け端末保護デバイス。
【請求項７】
１つ又は複数の外部デバイスと、
保護対象ホストコンピュータと、
請求項１〜６のいずれか１項に記載の外付け端末保護デバイスとを備え、
前記外付け端末保護デバイスは、前記１つ又は複数の外部デバイスが前記外付け端末保護デバイスを介して前記保護対象ホストコンピュータとインターフェースを通じて通信するように、保護対象ホストコンピュータに外付けされている、保護システム。
【国際調査報告】
2021522616.tif 000007
2021522616.tif 000008
2021522616.tif 000009
2021522616.tif 000010